(57)【要約】【課題】ケーブルの芯（しん）線が太くても、該芯線と端子の終端部とのはんだ付作業を容易に、かつ、均一に行うことができ、差動信号における信号のスキューが発生することがなく、信頼性を向上させることができるようにする。【解決手段】ケーブルの先端に接続されるケーブル用コネクタであって、相手方コネクタの端子と接触する接触部、及び、ケーブルの芯線に接続される終端部を各々備える第１端子及び第２端子、並びに、絶縁性樹脂から成り、前記第１端子及び第２端子が挿入されるコネクタ本体部及びガイド部を有し、同一平面内に前記接触部が位置する第１端子及び第２端子の終端部が２段に振分けられ、前記第１端子の終端部と前記第２端子の終端部とは各々別個の段の平面内に位置し、少なくとも前記第１端子の終端部同士の間隔が前記接触部同士の間隔より広い。【選択図】図１
2006114337.tif 000002
【特許請求の範囲】
【請求項１】
（ａ）ケーブル（３０）の先端に接続されるケーブル用コネクタ（１０）であって、
（ｂ）相手方コネクタの端子と接触する接触部（２１ａ、２２ａ）、及び、ケーブル（３０）の芯線（３５）に接続される終端部（２１ｂ、２２ｂ）を各々備える第１端子（２１）及び第２端子（２２）、並びに、
（ｃ）絶縁性樹脂から成り、前記第１端子（２１）及び第２端子（２２）が挿入されるコネクタ本体部（１１）及びガイド部（１２）を有し、
（ｄ）同一平面内に前記接触部（２１ａ、２２ａ）が位置する第１端子（２１）及び第２端子（２２）の終端部（２１ｂ、２２ｂ）が２段に振分けられ、前記第１端子（２１）の終端部（２１ｂ）と前記第２端子（２２）の終端部（２２ｂ）とは各々別個の段の平面内に位置し、
（ｅ）少なくとも前記第１端子（２１）の終端部（２１ｂ）同士の間隔が前記接触部（２１ａ、２２ａ）同士の間隔より広いことを特徴とするケーブル用コネクタ（１０）。
【請求項２】
対として組合された２つの第１端子（２１）の終端部（２１ｂ）同士の間隔は、隣接する対における第１端子（２１）の終端部（２１ｂ）との間隔より狭い請求項１に記載のケーブル用コネクタ（１０）。
【請求項３】
前記第２端子（２２）の終端部（２２ｂ）の位置する平面は、前記第１端子（２１）の終端部（２１ｂ）の位置する平面よりケーブル用コネクタ（１０）の中心側、かつ、後端側に位置する請求項１又は２に記載のケーブル用コネクタ（１０）。
【請求項４】
前記第１端子（２１）の終端部（２１ｂ）には信号線の芯線（３５）が接続され、前記第２端子（２２）の終端部（２２ｂ）には接地線の芯線（３５）が接続される請求項１〜３のいずれか１項に記載のケーブル用コネクタ（１０）。
【請求項５】
前記第１端子（２１）の終端部（２１ｂ）に接続される芯線（３５）は、前記第２端子（２２）の終端部（２２ｂ）の位置する平面の範囲において、絶縁性被覆で覆われている請求項４に記載のケーブル用コネクタ（１０）。
【請求項６】
前記対として組合された２つの第１端子（２１）は線長が同一であり、前記２つの第１端子（２１）の終端部（２１ｂ）の各々には差動信号ペア線（３４）の芯線（３５）が各々接続される請求項２に記載のケーブル用コネクタ（１０）。
【請求項７】
前記差動信号ペア線（３４）の２本の信号線は、前記第２端子（２２）の終端部（２２ｂ）の位置する平面の範囲において、前記絶縁性被覆の上が前記２本の信号線を結束する結束被覆で覆われている請求項６に記載のケーブル用コネクタ（１０）。
【請求項８】
（ａ）ケーブル（３０）と、
（ｂ）相手方コネクタの端子と接触する接触部（２１ａ、２２ａ）、及び、ケーブル（３０）の芯線（３５）に接続される終端部（２１ｂ、２２ｂ）を各々備える第１端子（２１）及び第２端子（２２）、並びに、絶縁性樹脂から成り、前記第１端子（２１）及び第２端子（２２）が挿入されるコネクタ本体部（１１）及びガイド部（１２）を備え、同一平面内に前記接触部（２１ａ、２２ａ）が位置する第１端子（２１）及び第２端子（２２）の終端部（２１ｂ、２２ｂ）が２段に振分けられ、前記第１端子（２１）の終端部（２１ｂ）と前記第２端子（２２）の終端部（２２ｂ）とは各々別個の段の平面内に位置し、少なくとも前記第１端子（２１）の終端部（２１ｂ）同士の間隔が前記接触部（２１ａ、２２ａ）同士の間隔より広く、前記ケーブル（３０）の先端に接続されるケーブル用コネクタ（１０）と、
（ｃ）該ケーブル用コネクタ（１０）の周囲に取付けられたコネクタ用シールドケース（４０）とを有すること特徴とするコネクタ組立体（６０）。
【発明の詳細な説明】
【技術分野】
【０００１】
本発明は、ケーブル用コネクタ及びコネクタ組立体に関するものである。
【背景技術】
【０００２】
従来、次世代テレビ向けのデジタルインターフェイス規格であるＨＤＭＩ（Ｒ）（Ｈｉｇｈ−Ｄｉｆｉｎｉｔｉｏｎ  Ｍｕｌｔｉｍｅｄｉａ  Ｉｎｔｅｒｆａｃｅ）に準拠したコネクタが開発されている。前記ＨＤＭＩ（Ｒ）に準拠したコネクタを使用することによってデジタル信号の接続が可能となり、ＳＴＢ（Ｓｅｔ  Ｔｏｐ  Ｂｏｘ）等とデジタルテレビとの間でデジタル信号の送受信を行うことができる。もっとも、以前よりパーソナルコンピュータ用の規格としてＤＶＩ（Ｄｉｇｉｔａｌ  Ｖｉｓｕａｌ  Ｉｎｔｅｒｆａｃｅ）というデジタルインターフェイス規格が提案されているが、ＤＶＩに準拠したコネクタは、大型で、しかも、映像信号のみが接続可能となっているので、デジタルテレビ等のデジタル家電製品には不向きであった。これに対し、ＨＤＭＩ（Ｒ）に準拠したコネクタは、映像信号に加えて音声信号及びコントロール信号の接続を可能とし、端子間のピッチも小さく小型化されているので、デジタルテレビ等のデジタル家電製品に適している。
【０００３】
しかし、前記コネクタにおいては、端子間のピッチが小さいので、ケーブルにおける信号線の芯（しん）線の径が大きい場合、すなわち、芯線が太い場合、端子に芯線をはんだ付する作業が困難になってしまう。そして、はんだ付された端子と芯線との接続状態が不均一になり易く、インピーダンスが乱れ易くなってしまう。そこで、端子の終端部のピッチを幅方向に拡大したり、端子の終端部を上下に振分けたりすることによって、端子の終端部同士の間隔を広げて、端子に芯線をはんだ付する作業を容易にするコネクタが提案されている（例えば、特許文献１参照。）。
【特許文献１】特開平１０−１１６６４７号公報
【発明の開示】
【発明が解決しようとする課題】
【０００４】
しかしながら、前記従来のコネクタにおいては、各端子の先端から終端までの距離が必ずしも同一でないので、差動信号を伝送する一対の差動信号ペア線の芯線を端子に接続すると、差動信号におけるプラスの信号を伝送する線長とマイナスの信号を伝送する線長とが同一とならず、信号のスキューが発生してしまう。
【０００５】
本発明は、前記従来の問題点を解決して、同一平面内に接触部が位置する第１端子及び第２端子の終端部が２段に振分けられ、一対の第１端子における終端部の間隔が接触部の間隔よりも広く、一対の第１端子における終端部と隣接する対における第１端子の終端部との間隔がさらに広く、第２端子における終端部が第１端子における終端部よりも後方に延在するようにして、ケーブルの芯線が太くても、該芯線と端子の終端部とのはんだ付作業を容易に、かつ、均一に行うことができ、差動信号における信号のスキューが発生することがなく、信頼性を向上させることができるケーブル用コネクタ及びコネクタ組立体を提供することを目的とする。
【課題を解決するための手段】
【０００６】
そのために、本発明のケーブル用コネクタにおいては、ケーブルの先端に接続されるケーブル用コネクタであって、相手方コネクタの端子と接触する接触部、及び、ケーブルの芯線に接続される終端部を各々備える第１端子及び第２端子、並びに、絶縁性樹脂から成り、前記第１端子及び第２端子が挿入されるコネクタ本体部及びガイド部を有し、同一平面内に前記接触部が位置する第１端子及び第２端子の終端部が２段に振分けられ、前記第１端子の終端部と前記第２端子の終端部とは各々別個の段の平面内に位置し、少なくとも前記第１端子の終端部同士の間隔が前記接触部同士の間隔より広い。
【０００７】
本発明の他のケーブル用コネクタにおいては、さらに、対として組合された２つの第１端子の終端部同士の間隔は、隣接する対における第１端子の終端部との間隔より狭い。
【０００８】
本発明の更に他のケーブル用コネクタにおいては、さらに、前記第２端子の終端部の位置する平面は、前記第１端子の終端部の位置する平面よりケーブル用コネクタの中心側、かつ、後端側に位置する。
【０００９】
本発明の更に他のケーブル用コネクタにおいては、さらに、前記第１端子の終端部には信号線の芯線が接続され、前記第２端子の終端部には接地線の芯線が接続される。
【００１０】
本発明の更に他のケーブル用コネクタにおいては、さらに、前記第１端子の終端部に接続される芯線は、前記第２端子の終端部の位置する平面の範囲において、絶縁性被覆で覆われている。
【００１１】
本発明の更に他のケーブル用コネクタにおいては、さらに、前記対として組合された２つの第１端子は線長が同一であり、前記２つの第１端子の終端部の各々には差動信号ペア線の芯線が各々接続される。
【００１２】
本発明の更に他のケーブル用コネクタにおいては、さらに、前記差動信号ペア線の２本の信号線は、前記第２端子の終端部の位置する平面の範囲において、前記絶縁性被覆の上が前記２本の信号線を結束する結束被覆で覆われている。
【００１３】
本発明のコネクタ組立体においては、ケーブルと、相手方コネクタの端子と接触する接触部、及び、ケーブルの芯線に接続される終端部を各々備える第１端子及び第２端子、並びに、絶縁性樹脂から成り、前記第１端子及び第２端子が挿入されるコネクタ本体部及びガイド部を備え、同一平面内に前記接触部が位置する第１端子及び第２端子の終端部が２段に振分けられ、前記第１端子の終端部と前記第２端子の終端部とは各々別個の段の平面内に位置し、少なくとも前記第１端子の終端部同士の間隔が前記接触部同士の間隔より広く、前記ケーブルの先端に接続されるケーブル用コネクタと、該ケーブル用コネクタの周囲に取付けられたコネクタ用シールドケースとを有する。
【発明の効果】
【００１４】
本発明によれば、ケーブル用コネクタは、同一平面内に接触部が位置する第１端子及び第２端子の終端部が２段に振分けられ、一対の第１端子における終端部の間隔が接触部の間隔よりも広く、一対の第１端子における終端部と隣接する対における第１端子の終端部との間隔がさらに広く、第２端子における終端部が第１端子における終端部よりも後方に延在するようになっている。そのため、ケーブルの芯線が太くても、該芯線と端子の終端部とのはんだ付作業を容易に、かつ、均一に行うことができ、差動信号における信号のスキューが発生することがなく、信頼性を向上させることができる。
【発明を実施するための最良の形態】
【００１５】
以下、本発明の実施の形態について図面を参照しながら詳細に説明する。
【００１６】
図１は本発明の実施の形態におけるケーブル用コネクタを示す上方斜視図、図２は本発明の実施の形態におけるケーブル用コネクタを示す下方斜視図である。
【００１７】
図１及び２において、１０は本実施の形態におけるケーブル用コネクタであり、ケーブル３０の先端に接続されている。前記ケーブル用コネクタ１０及びケーブル３０はいかなる種類のコネクタ及びケーブルであってもよいが、本実施の形態においては、説明の都合上、前記ケーブル用コネクタ１０及びケーブル３０が次世代テレビ向けのデジタルインターフェイス規格であるＨＤＭＩ（Ｒ）に準拠したコネクタ及びケーブルである場合について説明する。そして、前記ケーブル用コネクタ１０は、デジタルテレビ等のデジタル家電製品に配設された図示されない相手方コネクタと嵌（かん）合して接続される。
【００１８】
また、本実施の形態において、ケーブル用コネクタ１０及びケーブル３０の各部の構成及び動作を説明するために使用される上、下、左、右、前、後等の方向を示す表現は、絶対的なものでなく相対的なものであり、ケーブル用コネクタ１０及びケーブル３０が図に示される姿勢である場合に適切であるが、ケーブル用コネクタ１０及びケーブル３０の姿勢が変化した場合には姿勢の変化に応じて変更して解釈されるべきものである。なお、本実施の形態において、ケーブル３０は、説明の都合上、先端近傍部分のみが図示され、その他の部分の図示は省略されている。
【００１９】
ここで、ケーブル用コネクタ１０は、絶縁性樹脂で成形されたコネクタ本体部１１及びガイド部１２を有し、前記コネクタ本体部１１及びガイド部１２内には、後述される導電性金属から成る複数の端子が装填（てん）されている。なお、コネクタ本体部１１は、ガイド部１２と係合する係合片１１ａを両側部に備え、前記係合片１１ａがガイド部１２の両側部と係合することによってコネクタ本体部１１とガイド部１２とが相互に結合される。また、コネクタ本体部１１の表面には、ケーブル用コネクタ１０が相手方コネクタに嵌合される際に該相手方コネクタの係合部材と係合するための係合用凹部１３が複数個形成されている。
【００２０】
そして、前記ガイド部１２には複数のガイド溝１６が形成され、該ガイド溝１６内に後述される端子の終端部が収容されている。なお、必ずしもすべてのガイド溝１６内に端子の終端部が収容されていなくてもよい。そして、前記ガイド溝１６内の端子の終端部にケーブル３０の芯線３５がはんだ付によって接続されている。図１及び２において、３１はケーブル３０の被覆であり、３２はケーブル３０における差動信号線、３３はケーブル３０における独立信号線、３６はケーブル３０における電力線、３４は差動信号線３２に含まれる差動信号ペア線である。なお、差動信号線３２には、後述される差動信号用接地線３４ａも含まれる。
【００２１】
次に、前記ケーブル用コネクタ１０の構成を詳細に説明する。
【００２２】
図３は本発明の実施の形態におけるケーブル用コネクタの先端面を示す正面図、図４は本発明の実施の形態におけるケーブル用コネクタの上面図、図５は本発明の実施の形態におけるケーブル用コネクタの側断面図である。なお、図５（ａ）は図４におけるＢ−Ｂ矢視断面図、図５（ｂ）は図４におけるＡ−Ａ矢視断面図である。
【００２３】
図３及び５に示されるように、コネクタ本体部１１の先端面及びその近傍には、相手方コネクタの挿入部が挿入されるスロット状の挿入口１４が形成されている。また、コネクタ本体部１１の内部には、軸方向（図４及び５における横方向）に延在し、前記挿入口１４に接続される細長い端子収容孔（こう）１７が複数形成され、該端子収容孔１７の各々の内部に端子が１本ずつ装填されている。なお、本実施の形態において、端子は、主として差動信号ペア線３４に接続される第１端子２１、主として接地線としての差動信号用接地線３４ａに接続される第２端子２２、及び、電力線３６に接続される後述される第３端子２３を含んでいる。また、コネクタ本体部１１の先端面及びその近傍には、前記挿入口１４の上下の辺の両外側に複数の端子先端用開口１５が並んで配設されている。そして、該端子先端用開口１５の各々の内部に各端子の先端部が収容されている。また、端子の先端部には、湾曲した形状で突出し、相手方コネクタの端子と接触する接触部が形成されている。なお、２１ａは第１端子２１の接触部、２２ａは第２端子２２の接触部、後述される２３ａは第３端子２３の接触部である。
【００２４】
本実施の形態において、端子は挿入口１４の上面及び下面に沿って、それぞれの幅方向（図３における横方向）に均一な間隔、すなわち、等ピッチで並んで配設されている。なお、前記挿入口１４の上面と下面とは互いに平行である。そして、挿入口１４の上面に沿って、例えば、１０本の端子がピッチ１〔ｍｍ〕で並んで配設され、挿入口１４の下面に沿って、例えば、１０本の端子がピッチ１〔ｍｍ〕で並んで配設されている。そのため、挿入口１４の上面に沿って配設された端子の接触部は一平面内に位置し、挿入口１４の下面に沿って配設された端子の接触部は前記一平面と対向する他の平面に位置する。
【００２５】
なお、各端子は、弾性を備えてばねとして機能するものであり、本体部の両側面が端子収容孔１７の両側壁によって挟み込まれた状態で固定され、先端は自由端となっている。そして、端子の先端部に形成された接触部は、ばねとしての機能によって、挿入口１４の上面及び下面から、それぞれ、内方に向けて突出している。そのため、ケーブル用コネクタ１０が相手方コネクタに嵌合されて該相手方コネクタの挿入部が挿入口１４に挿入されると、端子の接触部は、ばねとしての機能によって前記相手方コネクタの挿入部における相手側端子の接触部に押付けられ、電気的な接続を確保することができる。
【００２６】
ここで、挿入口１４の上面に沿っては、一対の第１端子２１と単一の第２端子２２とが交互に並ぶように配設されている。具体的には、図３における左側から、第１端子２１、第１端子２１、第２端子２２、第１端子２１、第１端子２１、第２端子２２、第１端子２１、第１端子２１、第２端子２２、第１端子２１の順で配設されている。また、挿入口１４の下面の場合も、上面の場合とほぼ同様であるが、第３端子２３が含まれている。具体的には、図３における左側から、第２端子２２、第１端子２１、第１端子２１、第２端子２２、第１端子２１、第１端子２１、第２端子２２、第１端子２１、第３端子２３の順で配設されている。
【００２７】
これにより、図３に示されるように、ケーブル用コネクタ１０の先端面を観た場合の端子の配置は、第２端子２２を２本の等辺で挟まれる頂点とし、２つの第１端子２１を対向する２頂点とする二等辺三角形が、交互に反転して組合されて、横に並べられた配置となる。そのため、各三角形における第１端子２１の各々に差動信号線３２における差動信号ペア線３４の各々を図４及び５（ａ）に示されるように接続し、また、第２端子２２に同じ差動信号線３２における差動信号用接地線３４ａを図５（ｂ）に示されるように接続すると、クロストークの発生を防止することができる端子配置とすることができる。
【００２８】
次に、前記ガイド部１２の構成について詳細に説明する。
【００２９】
図６は本発明の実施の形態におけるケーブル用コネクタのコネクタ本体部及びガイド部を示す斜視図、図７は本発明の実施の形態におけるケーブル用コネクタのコネクタ本体部及びガイド部を示す四面図である。なお、図６（ａ）は上方斜視図、図６（ｂ）は上方斜視図、図７（ａ）は側面図、図７（ｂ）は後面図、図７（ｃ）は上面図、図７（ｄ）は下面図である。
【００３０】
図６に示されるように、ガイド部１２においてガイド溝１６が形成される面は、上面側及び下面側において、それぞれ、上下２段に分割され、かつ、軸方向にずれて配設されている。すなわち、ガイド部１２の上面側及び下面側において２段の階段状の面が形成され、該面の各々にガイド溝１６が形成されている。そして、ガイド部１２の上面側及び下面側における上段側の面、すなわち、ケーブル用コネクタ１０の外側寄りであって前方（図６における右上方）側寄りの面に形成されたガイド溝１６には第１端子２１の終端部２１ｂが収容され、下段側の面、すなわち、ケーブル用コネクタ１０の軸心側であって後方（図６における左下方）側寄りの面に形成されたガイド溝１６には第２端子２２の終端部２２ｂが収容されている。なお、図６（ｂ）に示されるように、ガイド部１２の下面側においては、上段側の面の側端近傍に、第３端子２３の終端部２３ｂが収容されるガイド溝１６が後方に突出するように形成されている。
【００３１】
そして、ガイド部１２の上面側のガイド溝１６に終端部が収容されている端子は、前記挿入口１４の上面に沿って配設されている端子であり、ガイド部１２の下面側のガイド溝１６に終端部が収容されている端子は、前記挿入口１４の下面に沿って配設されている端子である。なお、前記ガイド溝１６の前端は、ガイド部１２内に形成され、前記コネクタ本体部１１の端子収容孔１７に連通する端子後部収容孔が接続されている。この場合、下段側の面に形成されたガイド溝１６に接続された端子後部収容孔は、上段側の面の下を貫通しているので、上段側の面に形成されたガイド溝１６に接続された端子後部収容孔よりも長くなっていることが、図６及び７に示される配置によって、理解される。
【００３２】
本実施の形態においては、端子の終端部は、不均一な間隔、すなわち、不等ピッチで、かつ、接触部よりも広いピッチで、２段に並んで配設されている。前述したように、端子の先端部では、第１端子２１と第２端子２２とが混在して同一面において幅方向に並んで配設されているのに対し、端子の終端部では、第１端子２１の終端部２１ｂが上段側の面のガイド溝１６に収容され、第２端子２２の終端部２２ｂが下段側の面のガイド溝１６に収容されている。そのため、端子の終端部では、幅方向の寸法に余裕が発生するので、端子の終端部は先端部より広いピッチで配設されている。
【００３３】
また、図７に示されるように、上段側の面において第１端子２１の終端部２１ｂは、不等ピッチで配設されている。例えば、挿入口１４の上面に沿って配設されている端子の場合、前述したように、端子の先端部は、一対の第１端子２１と単一の第２端子２２とが交互に並ぶように配設されている。そして、同一の対における第１端子２１の終端部２１ｂ同士の間隔は、隣接する対における第１端子２１の終端部２１ｂとの間隔よりも狭くなっている。もっとも、同一の対における第１端子２１の終端部２１ｂ同士の間隔は、端子の先端部における端子同士の間隔より広く、例えば、端子の先端部における間隔の１．２〜１．３倍となっている。なお、挿入口１４の下面に沿って配設されている端子についても、同様である。
【００３４】
このように、第１端子２１の終端部２１ｂ同士の間隔が広くなっているので、差動信号ペア線３４等の信号線の芯線３５が太くても、該芯線３５と終端部２１ｂとのはんだ付作業を容易に行うことができる。また、はんだ付による芯線３５と終端部２１ｂとの接続状態を均一なものにすることができる。さらに、隣接する対における第１端子２１の終端部２１ｂとの間隔が広くなっているので、同一の対における第１端子２１の終端部２１ｂに差動信号ペア線３４の芯線３５を接続した場合、隣接する差動信号ペア線３４間のクロストークの発生を防止することができる。
【００３５】
さらに、ガイド溝１６が形成される面が２段の階段状になっており、第１端子２１の終端部２１ｂが上段側の面のガイド溝１６に収容されているので、差動信号ペア線３４等の信号線の絶縁性被覆を除去して芯線３５を露出させる範囲を短くすることができる。すなわち、差動信号ペア線３４等の信号線の芯線３５は、前記終端部２１ｂの終端面が位置する上段側の面と下段側の面との境界付近まで絶縁性被覆で覆われている。そのため、信号線間のクロストークの発生を防止することができる。さらに、差動信号ペア線３４の場合、信号線の絶縁性被覆の上が収縮チューブ等から成る結束被覆で覆われている。該結束被覆は、差動信号ペア線３４を構成する２本の信号線が互いに密着して平行な状態となるように結束するための部材である。そのため、上段側の面と下段側の面との境界付近まで結束被覆で覆われているので、２本の信号線が離れることがなく、差動信号におけるプラスの信号を伝送する信号線の線長とマイナスの信号を伝送する信号線の線長とが同一となり、信号のスキューが発生することがない。
【００３６】
次に、前記端子の構成について詳細に説明する。
【００３７】
図８は本発明の実施の形態におけるケーブル用コネクタのガイド部を除去した状態を示す斜視図、図９は本発明の実施の形態におけるケーブル用コネクタのガイド部を除去した状態を示す四面図、図１０は本発明の実施の形態におけるケーブル用コネクタの端子の配置を示す斜視図、図１１は本発明の実施の形態におけるケーブル用コネクタの端子の配置を示す三面図である。なお、図８（ａ）は上方斜視図、図８（ｂ）は下方斜視図、図９（ａ）は側面図、図９（ｂ）は後面図、図９（ｃ）は上面図、図９（ｄ）は下面図、図１０（ａ）は上方斜視図、図１０（ｂ）は下方斜視図、図１１（ａ）は側面図、図１１（ｂ）は上面図、図１１（ｃ）は下面図である。
【００３８】
図１０及び１１に示されるように、第１端子２１及び第２端子２２は、先端面の位置が揃（そろ）えられ、軸方向に関して同一位置になるようにコネクタ本体部１１及びガイド部１２に装填される。そのため、第１端子２１の接触部２１ａ及び第２端子２２の接触部２２ａの位置も軸方向に関して同一位置になっている。なお、図１０及び１１は、コネクタ本体部１１及びガイド部１２に装填されている端子の配置を理解することができるように、コネクタ本体部１１及びガイド部１２を除去して、端子のみを図示したものであり、図１０及び１１に示されるすべての端子は、図６及び７に示されるように、コネクタ本体部１１及びガイド部１２に装填されている場合と同様に配置されている。
【００３９】
そして、第２端子２２の全長は、第１端子２１の全長より長く、第２端子２２の後端面の位置は、第１端子２１の後端面の位置よりも後方（図１０における左下方、又は、図１１における右方）に位置する。これは、前述のように、第１端子２１の終端部２１ｂが収容されるガイド溝１６が上段側の面に形成され、第２端子２２の終端部２２ｂが収容されるガイド溝１６が上段側の面に形成されているので、第２端子２２の終端部２２ｂの方が第１端子２１の終端部２１ｂよりも後方に位置する必要があるからである。このことは、図８及び９に示される端子の終端部の配置によって、より容易に理解される。なお、図８及び９は、コネクタ本体部１１及びガイド部１２に装填されている端子の終端部の配置を理解することができるように、ガイド部１２を除去したものである。また、該ガイド部１２は、係合片１１ａとの係合を解除し、後方に引抜くことによって、コネクタ本体部１１から取外すことができる。
【００４０】
なお、第３端子２３の全長は第１端子２１の全長とほぼ同一であるが、第３端子２３の後端面の位置は、第１端子２１の後端面の位置よりも後方に位置する。これは、第３端子２３の接触部２３ａの位置を、第１端子２１の接触部２１ａ及び第２端子２２の接触部２２ａの位置よりも軸方向に関して後方にしたためである。これにより、前述したように、ガイド部１２の上段側の面において後方に突出するガイド溝１６に第３端子２３の終端部２３ｂが収容される。
【００４１】
本実施の形態において、端子は、いずれも、細長い棒状であり、金属板を打抜き、曲げ加工を施すことによって形成される。そして、端子の本体部は、先端部及び終端部より幅広であり、両側面に前記コネクタ本体部１１の端子収容孔１７の側壁に食込むための凸部が形成されている。これにより、前記本体部の両側面は、端子収容孔１７の両側壁によって挟み込まれた状態で確実に固定される。そして、端子の先端部に形成された接触部は、ばねとしての機能によって、それぞれ、内方に向けて突出している。
【００４２】
また、端子の終端部は、段部を介して本体部に接続され、該本体部と平行に、かつ、上下方向（図１１（ａ）における上下方向）に段違いになっている。そして、第１端子２１の終端部２１ｂ及び第３端子２３の終端部２３ｂは本体部より外方、すなわち、ガイド部１２の外側寄りに位置し、第２端子２２の終端部２２ｂは本体部より内方、すなわち、ガイド部１２の中心寄りに位置する。これにより、第１端子２１の終端部２１ｂ及び第３端子２３の終端部２３ｂと第２端子２２の終端部２２ｂとは上下２段に振分けられ、第１端子２１の終端部２１ｂ及び第３端子２３の終端部２３ｂは上段側の平面内に位置し、第２端子２２の終端部２２ｂは下段側の平面内に位置する。そして、第１端子２１の終端部２１ｂ及び第３端子２３の終端部２３ｂはガイド部１２の上段側の面に形成されたガイド溝１６に収容され、第２端子２２の終端部２２ｂはガイド部１２の下段側の面に形成されたガイド溝１６に収容される。
【００４３】
さらに、前述したように、一対の第１端子２１の終端部２１ｂ同士の間隔が先端部同士の間隔より広くなるようにするために、第１端子２１の終端部２１ｂは、前記段部によって、該本体部と平行に、かつ、横方向（図１１（ｂ）及び（ｃ）における上下方向）に段違いになっている。なお、第３端子２３の終端部２３ｂも本体部と平行に、かつ、横方向に段違いになっている。そのため、終端部２１ｂが本体部に対して右方向に段違いになっている第１端子２１と終端部２１ｂが本体部に対して左方向に段違いになっている第１端子２１と対として組合せることによって、終端部２１ｂ同士の間隔が先端部同士の間隔より広くなる一対の第１端子２１を得ることができる。
【００４４】
ここで、第１端子２１の全長はすべて等しく、前記対として組合された２つの第１端子２１は、対の中心軸線に関して線対称の関係にあるので、前記対として組合された２つの第１端子２１における終端部２１ｂから接触部２１ａまで信号を伝送する線長は同一である。そのため、前記対として組合された２つの第１端子２１の各々に差動信号線３２における差動信号ペア線３４の各々を接続した場合、差動信号におけるプラスの信号を伝送する線長とマイナスの信号を伝送する線長とが同一となるので、信号のスキューが発生することがない。
【００４５】
次に、前記構成のケーブル用コネクタ１０及びケーブル３０にコネクタ用シールドケース４０を取付ける工程について説明する。
【００４６】
図１２は本発明の実施の形態におけるコネクタ用シールドケースにコネクタを装着する工程を示す図、図１３は本発明の実施の形態におけるケーブル及びコネクタにコネクタ用シールドケースが取付けられた状態を示す図である。なお、図１２及び１３において、（ａ）は正面図、（ｂ）は側面図、（ｃ）は上面図、（ｄ）は斜視図である。
【００４７】
ここで、コネクタ用シールドケース４０は、一枚の導電性の金属板から成り、該金属板を打抜き、曲げ加工を施すことによって形成される。前記コネクタ用シールドケース４０は、コネクタ本体部１１の先端（図１２（ａ）及び（ｃ）における左端）から所定範囲が収納される筒状部４１、及び、コネクタ本体部１１の後端（図１２（ａ）及び（ｃ）における右端）近傍であってケーブル３０の芯線がコネクタ端子に接続される部分を囲繞（にょう）する包囲部４２を有する。前記筒状部４１と包囲部４２とによってケース本体が構成される。前記包囲部４２は断面が概略矩（く）形であり、前記筒状部４１よりも外形が大きくなっている。そして、前記包囲部４２は上面に一辺が接続された上側部としての折曲舌片５１を備える。該折曲舌片５１は接続線５１ａにおいて前記上面に接続され、前記折曲舌片５１の後端には連結片５２を介して、後述される結合片としてのケーブル押片５３が接続されている。また、前記包囲部４２は下面に下側部としての底面板４３を備える。該底面板４３は接続線４３ａにおいて前記包囲部４２の一方の側面に接続され、前記底面板４３の後端には連結片４４を介して、結合片としてのクリンプ（ｃｒｉｍｐ）片４５が接続されている。そして、該クリンプ片４５は、ケーブル３０の先端近傍のシールドテープ３９の周囲を囲繞し、該シールドテープ３９に当接しているケーブル押片５３も含めてクランプする。これにより、コネクタ用シールドケース４０はシールドテープ３９に電気的に接続される。また、底面板４３の後端両側に接続された斜板４６は、ケーブル３０の芯線がコネクタ端子に接続される部分の斜め後方を塞（ふさ）ぐようになっている。
【００４８】
なお、ここでは、シールドテープ３９がケーブル押片５３とクリンプ片４５とによって上下から挟み込まれて当接することによって、コネクタ用シールドケース４０とケーブル３０の編組シールドとが電気的に接続されるようになっているが、シールドテープ３９を使用せずに、前記編組シールドがケーブル押片５３とクリンプ片４５とによって上下から挟み込まれて直接当接することによって、コネクタ用シールドケース４０と前記編組シールドとが電気的に接続されるようにすることもできる。
【００４９】
そして、図１２に示されるように、ケーブル３０及びコネクタ本体部１１がほぼ一直線となるような姿勢とし、すなわち、ケーブル３０の軸線とコネクタ本体部１１の軸線とがほぼ同一直線を形成するような姿勢として、コネクタ本体部１１をコネクタ用シールドケース４０の後方から該コネクタ用シールドケース４０内に挿入する。この場合、コネクタ本体部１１の軸線と筒状部４１及び包囲部４２の軸線とが同一直線を形成するようにして、包囲部４２の後方からコネクタ本体部１１を挿入する。なお、コネクタ本体部１１を挿入する際におけるコネクタ用シールドケース４０とケーブル３０及びコネクタ本体部１１との動きは相対的なものであり、コネクタ用シールドケース４０を固定してケーブル３０及びコネクタ本体部１１を前進させてもよいし、ケーブル３０及びコネクタ本体部１１を固定してコネクタ用シールドケース４０を後退させてもよいし、該コネクタ用シールドケース４０を後退させるとともにケーブル３０及びコネクタ本体部１１を前進させてもよい。
【００５０】
また、前述したように、折曲舌片５１が包囲部４２の上面に対して斜め上方に向けて傾斜し、かつ、底面板４３が包囲部４２の一方の側面から下方に向けて延在しているので、包囲部４２の後端は開放されている。そのため、包囲部４２の後方からコネクタ本体部１１を容易に挿入することができる。
【００５１】
続いて、コネクタ本体部１１がコネクタ用シールドケース４０に装着された状態において、ケーブル３０の芯線がコネクタ端子に接続される部分、すなわち、コネクタ本体部１１とケーブル３０との接続部を折り曲げ、ケーブル３０を斜め上方に移動させてコネクタ本体部１１に対して傾斜させる。なお、ケーブル３０とコネクタ本体部１１との動きは相対的なものであり、ケーブル３０に対してコネクタ本体部１１を移動させてもよい。そして、コネクタ本体部１１に対するケーブル３０の角度が、包囲部４２の上面に対する折曲舌片５１の角度と同程度になるようにする。
【００５２】
続いて、接続線４３ａにおいて底面板４３を包囲部４２の一方の側面に対して折り曲げ、底面板４３を上方に移動させて包囲部４２の下面と面一となるようにする。なお、前記接続線４３ａは、包囲部４２の一方の側面の下端縁となり、包囲部４２の軸心と平行な方向に延在する。また、包囲部４２の下面の後半分が底面板４３によって閉止され、該底面板４３の自由端縁（図１２に示される状態における下端縁）が、包囲部４２の他方の側面の下端縁に当接する。
【００５３】
続いて、コネクタ本体部１１とケーブル３０との接続部を元の方向に曲げ戻し、ケーブル３０を斜め下方に移動させて元の状態に戻す。すなわち、ケーブル３０の軸線とコネクタ本体部１１の軸線とがほぼ同一直線を形成するような姿勢とする。このとき、接続線５１ａにおいて折曲舌片５１を包囲部４２の上面に対して折り曲げ、折曲舌片５１を下方に移動させて包囲部４２の上面と面一となるようにする。これにより、ケーブル３０のシールドテープ３９の下面がクリンプ片４５のＵ字の底部に当接し、かつ、ケーブル押片５３が前記シールドテープ３９の上面に当接する。すなわち、ケーブル３０のシールドテープ３９は、ケーブル押片５３とクリンプ片４５とによって上下から挟み込まれた状態になる。
【００５４】
続いて、クリンプ片４５のＵ字の直線部分を、ケーブル３０のシールドテープ３９の周面に沿った形状となるように曲げて、クリンプ片４５がシールドテープ３９の周面に巻付くようにして、前記クリンプ片４５によってケーブル３０をクランプする。この場合、シールドテープ３９の上面に当接しているケーブル押片５３をクリンプ片４５のＵ字の先端部分によって包み込むようにする。
【００５５】
これにより、図１３に示されるように、クリンプ片４５及びケーブル押片５３がケーブル３０の先端近傍部分の周囲を覆うようにして取付けられ、コネクタ用シールドケース４０のケーブル３０及びコネクタ本体部１１への取付けが完了し、コネクタ組立体６０を得ることができる。この場合、コネクタ用シールドケース４０は、ケーブル３０の先端に接続されたコネクタ本体部１１の周囲を囲繞して、該コネクタ本体部１１を電磁気的にシールドするようになっている。
【００５６】
この後は、図示されないモールド工程を行って、コネクタ用シールドケース４０、ケーブル３０の先端部等の周囲を絶縁性樹脂によってモールドすることによってコネクタ組立体６０を完成させる。この場合、少なくとも包囲部４２の先端からクリンプ片４５の後端までの範囲はすべて絶縁性樹脂によってモールドされることが望ましい。なお、筒状部４１の大部分は、図示されない相手方コネクタに挿入されるので、通常は、絶縁性樹脂によってモールドされないようにする。また、モールドの代りに、絶縁性樹脂から成るコネクタカバーを装着することによってコネクタ組立体としてのコネクタ６０を完成させることもできる。
【００５７】
このように、本実施の形態において、第１端子２１の終端部２１ｂと第２端子２２の終端部２２ｂとは上下２段に振分けられ、第１端子２１の終端部２１ｂは上段側の平面内に位置し、第２端子２２の終端部２２ｂは下段側の平面内に位置する。そして、前記第１端子２１の終端部２１ｂ同士の間隔が広くなっている。そのため、差動信号ペア線３４等の信号線の芯線３５が太くても、該芯線３５と終端部２１ｂとのはんだ付作業を容易に行うことができる。さらに、該はんだ付作業を的確に行うことができ、はんだ付による芯線３５と終端部２１ｂとの接続状態を均一なものにすることができる。
【００５８】
また、隣接する対における第１端子２１の終端部２１ｂとの間隔が広くなっているので、対として組合された２つの第１端子２１の終端部２１ｂに差動信号ペア線３４の芯線を接続した場合、隣接する差動信号ペア線３４間のクロストークの発生を防止することができる。さらに、前記対として組合された２つの第１端子２１における終端部２１ｂから接触部２１ａまで信号を伝送する線長が同一なので、差動信号におけるプラスの信号を伝送する線長とマイナスの信号を伝送する線長とが同一となり、信号のスキューが発生することがない。
【００５９】
さらに、前記上段側の平面と下段側の平面とが階段状になっており、前記上段側の平面が下段側の平面の前方に位置するので、差動信号ペア線３４等の信号線の芯線３５を、終端部２１ｂの終端面が位置する上段側の面と下段側の面との境界付近まで絶縁性被覆で覆われた状態にすることができる。そのため、信号線の絶縁性被覆を除去して芯線３５を露出させる範囲を短くすることができ、信号線間のクロストークの発生を防止することができる。さらに、差動信号ペア線３４の場合、２本の信号線の絶縁性被覆の上が上段側の面と下段側の面との境界付近まで結束被覆で覆われている。そのため、２本の信号線が離れることがなく、差動信号におけるプラスの信号を伝送する信号線の線長とマイナスの信号を伝送する信号線の線長とが同一となり、信号のスキューが発生することがない。
【００６０】
なお、本発明は前記実施の形態に限定されるものではなく、本発明の趣旨に基づいて種々変形させることが可能であり、それらを本発明の範囲から排除するものではない。
【図面の簡単な説明】
【００６１】
【図１】本発明の実施の形態におけるケーブル用コネクタを示す上方斜視図である。
【図２】本発明の実施の形態におけるケーブル用コネクタを示す下方斜視図である。
【図３】本発明の実施の形態におけるケーブル用コネクタの先端面を示す正面図である。
【図４】本発明の実施の形態におけるケーブル用コネクタの上面図である。
【図５】本発明の実施の形態におけるケーブル用コネクタの側断面図である。
【図６】本発明の実施の形態におけるケーブル用コネクタのコネクタ本体部及びガイド部を示す斜視図である。
【図７】本発明の実施の形態におけるケーブル用コネクタのコネクタ本体部及びガイド部を示す四面図である。
【図８】本発明の実施の形態におけるケーブル用コネクタのガイド部を除去した状態を示す斜視図である。
【図９】本発明の実施の形態におけるケーブル用コネクタのガイド部を除去した状態を示す四面図である。
【図１０】本発明の実施の形態におけるケーブル用コネクタの端子の配置を示す斜視図である。
【図１１】本発明の実施の形態におけるケーブル用コネクタの端子の配置を示す三面図である。
【図１２】本発明の実施の形態におけるコネクタ用シールドケースにコネクタを装着する工程を示す図である。
【図１３】本発明の実施の形態におけるケーブル及びコネクタにコネクタ用シールドケースが取付けられた状態を示す図である。
【符号の説明】
【００６２】
１０    ケーブル用コネクタ
２１    第１端子
２１ａ、２２ａ    接触部
２１ｂ、２２ｂ    終端部
２２    第２端子
３０    ケーブル
３４    差動信号ペア線
３４ａ    差動信号用接地線
３５    芯線
４０    コネクタ用シールドケース
６０    コネクタ組立体
【図１】
2006114337.tif 000003
【図２】
2006114337.tif 000004
【図３】
2006114337.tif 000005
【図４】
2006114337.tif 000006
【図５】
2006114337.tif 000007
【図６】
2006114337.tif 000008
【図７】
2006114337.tif 000009
【図８】
2006114337.tif 000010
【図９】
2006114337.tif 000011
【図１０】
2006114337.tif 000012
【図１１】
2006114337.tif 000013
【図１２】
2006114337.tif 000014
【図１３】
2006114337.tif 000015